(57)【要約】【課題】簡単且つ短時間に袋状体からコイルを取り出すことができるポケットコイルマットレスを提供する。【解決手段】ポケットコイルマットレス１００は、スプリングコイル１１を袋状体１２に収納したポケットコイル１０の所要数を相互に側部を接着してスプリングユニット３を構成し、このスプリングユニット１０の上面に配設された表装ユニット３を備える。袋状体１２のそれぞれの胴回り方向にはミシン目１４が設けられ、さらに袋状体１２の上面は表装ユニット３の下面に接着剤１５によって接着されている。表装ユニット３を上方に引っ張ることによりミシン目１４が破断して袋状体１２のそれぞれの上面の全てが開口し、スプリングユニット３を裏返しにすれば、プリングコイル１１の全てを容易且つ簡単に取り出すことができる。【選択図】図１
2012095785.tif 000002
【特許請求の範囲】
【請求項１】
コイルスプリングを袋状体の内部に収納して形成されたポケットコイルを多数並列させると共に隣り合う前記ポケットコイル同士を互いに連結して形成されたスプリングユニットの上面側及び下面側にそれぞれ積層するようにして配置される表装ユニットを備えたポケットコイルマットレスにおいて、
前記袋状体のそれぞれにはミシン目が設けられると共に、スプリングユニットを構成する前記袋状体の上面及び下面はそれらと面するそれぞれの表装ユニットと接着されていることを特徴とするポケットコイルマットレス。
【請求項２】
請求項１に記載のポケットコイルマットレスにおいて、
前記ミシン目は、通常の使用状況においては破断されず、前記袋状体の上面及び下面に積層されている表装ユニットの一方側を該袋状体から引き剥がす方向に力が付与されたときに破断されるように設けられていることを特徴とするポケットコイルマットレス。
【請求項３】
請求項１または２に記載のポケットコイルマットレスにおいて、
前記ミシン目は、前記袋状体の胴回り方向に設けられていることを特徴とするポケットコイルマットレス。
【発明の詳細な説明】
【技術分野】
【０００１】
本発明は、弾性を有するコイルスプリングをポケット（袋状体）内に収納したポケットコイルを多数並列して形成されたポケットコイルマットレスに関し、さらに詳しくは、可燃物である袋状体から資源として再利用される不燃物であるコイルを簡単に取り出すことが可能なポケットコイルマットレスに関する。
【背景技術】
【０００２】
ベッドの形式には、大別してポケットコイルマットレスとボンネルコイルマットレスとがある。ポケットコイルマットレスは、荷重のかかった部位のコイル（スプリング）のみが縮小するため、利用者の体型に沿って各スプリングが伸縮し、背骨を真っ直ぐにしたままの理想的な寝姿が得られるという特徴がある。このポケットコイルマットレスは、多数（例えば、４６０〜１２００本）の金属コイルのそれぞれを個別にナイロンネット、不織布等の袋状体で包み、この袋状体を接着材等で相互に連結してクッション構成体を形成し、このクッション構成体をボトム上に配置し、その上面又は両面にウレタンフォーム等からなる部材を設けて構成されている。
【０００３】
近年、各種の市販商品に対して使用済みになり、或いは使われなくなった際に資源回収が義務付けられるようになり、その商品の構成材の種類ごとに分別して回収されている。ポケットコイルマットレスの場合、コイルを袋状体から取り出す必要があるが、上記したように膨大な数であることから、カッターナイフ等を用いて手作業により袋状体に切れ目を入れて１つずつコイルを取り出すのは容易ではない。
【０００４】
そこで、コイルを簡単に袋状体から取り出せるように、表装材の外被材の側面を覆う「ひれ状布」とクッション構成体の側面に露出する筒状の不織布の上下とを接着材で接着した構成のマットレスが提案されている（特許文献１参照）。このマットレスにおいて分別を行うには、分別時にひれ状布をクッション構成体から剥ぎ取ることにより外被材とクッション主体部とを分離し、その後に不織布に切断を施してコイルを取り出すことになる。
【０００５】
また、長尺のシートを二つ折りにし、圧縮したコイルを位置決めしながらコイルの大きさに合わせて三辺を溶着して袋体（袋状体）を形成する工程をコイルの数だけ繰り返して、さらにコイルの長さ方向の一辺（綴じ代側）にミシン目を設け、分解時にミシン目を破断して袋体からコイルを取り出せるようにしたポケットコイルマットレスも知られている（特許文献２参照）。このマットレスでは、複数のコイルが一列にまとめられて１つのスプリングユニットが構成され、このスプリングユニットの複数を連結することによりベッド１台分のポケットコイルが形成される。
【先行技術文献】
【特許文献】
【０００６】
【特許文献１】特開２００１−６１６０４号公報
【特許文献２】特開２００５−６５７２６号公報
【発明の概要】
【発明が解決しようとする課題】
【０００７】
しかしながら、特許文献１に示されたマットレスは、外被材とクッション主体部との分離は容易になったものの、その後にクッション主体部の不織布（筒状体）に切断を入れて取り出す作業が必要になるという問題がある。
また、特許文献２に示されたポケットコイルマットレスは、ミシン目がコイルの１列毎であるため、コイルの取り出しは袋状体の全てを一度に同時に行えないため、コイルの全数を取り出すのには時間を要するという問題がある。
【０００８】
そこで、本発明は、かかる問題点に鑑みなされたもので、袋状体の全てから同時に全コイルを露出可能にすることで、簡単且つ短時間に袋状体からコイルを取り出すことができるポケットコイルマットレスを提供することを目的とする。
【課題を解決するための手段】
【０００９】
上記課題を解決するために請求項１に記載の発明は、コイルスプリングを袋状体の内部に収納して形成されたポケットコイルを多数並列させると共に隣り合うポケットコイル同士を互いに連結して形成されたスプリングユニットの上面側及び下面側にそれぞれ積層するようにして配置される表装ユニットを備えたポケットコイルマットレスにおいて、袋状体のそれぞれにはミシン目が設けられると共に、スプリングユニットを構成する袋状体の上面及び下面はそれらと面するそれぞれの表装ユニットと接着されていることを特徴とするポケットコイルマットレスを提供する。
【００１０】
上記課題を解決するために請求項２に記載の本発明は、請求項１に記載のポケットコイルマットレスにおいて、ミシン目は、通常の使用状況においては破断されず、袋状体の上面及び下面に積層されている表装ユニットの一方側を袋状体から引き剥がす方向に力が付与されたときに破断されるように設けられていることを特徴とする。
【００１１】
上記課題を解決するために請求項３に記載の本発明は、請求項１または２に記載のポケットコイルマットレスにおいて、ミシン目は、袋状体の胴回り方向に設けられていることを特徴とする。
【発明の効果】
【００１２】
本発明に係るポケットコイルマットレスによれば、全てのコイルを全ての袋状体から略同時に露出可能にすることで、簡単且つ短時間に袋状体からコイルを取り出すことができるという効果がある。従って、素材による分別作業を極めて容易に行うことができ作業にかかる労力を大幅に低減することができるという効果がある。
【図面の簡単な説明】
【００１３】
【図１】本発明に係るポケットコイルマットレスの好ましい一実施形態を示す斜視図である。
【図２】図１に示すポケットコイルマットレスにおける上側及び下側の表装ユニットの構成を示す側面図である。
【図３】図１に示すポケットコイルマットレスのスプリングユニットを示す断面図である。
【図４】スプリングユニットを構成しているポケットコイルの配置を示す平面図である。
【図５】側生地を設けない状態のポケットコイルの外観を示す側面図である。
【図６】本発明に係るポケットコイルマットレスの分解経過を示す斜視図である。
【発明を実施するための形態】
【００１４】
［ポケットコイルマットレスの構成］
以下、本発明に係るポケットコイルマットレスについて、図面を参照しつつ詳細に説明する。図１は本発明に係るポケットコイルマットレスの好ましい一実施形態を示す斜視図である。図示されたポケットコイルマットレス１００は、概略として、多数のポケットコイルを備えて形成されたスプリングユニット１と、スプリングユニット１の側面を一周するようにして上端が後述する第一の表装ユニット３に縫着又は接着された側生地２（一部を断面図で示す）と、スプリングユニット１の上下両面にスプリングユニット１を挟むようにして対称に配設された第一の表装ユニット３及び第二の表装ユニット４とを備えて構成されている。
【００１５】
図２（ａ）は第一の表装ユニット３の構成を示し、図２（ｂ）は第二の表装ユニット４の構成を示している。第一表装ユニット３及び第二の表装ユニット４は上下対象な構成になっている。第一の表装ユニット３は、図２（ａ）に示すように、下側から順にＰＵ（ポリウレタン）フォーム３１、ＰＵフォーム３２、カバーパネル３３が積層された三層構造になっている。また、第二の表装ユニット４は、図２（ｂ）に示すように、上側から順にＰＵフォーム４１、ＰＵフォーム４２、カバーパネル４３が積層された三層構造になっている。尚、マットレスによっては第二の表装ユニット４はそのような３層構造ではなく、板形状のベース部材が用いられることもある。
【００１６】
スプリングユニット１は、図３に示すように、多数のポケットコイル１０，１０の互いに隣接する側面同士を接着剤１３によって接着した状態で同一平面上に並列に配置したものである。ポケットコイル１０は、金属製のスプリングコイル１１を若干圧縮した状態にして不織布等の繊維素材を筒形（樽形状を含む）に加工した袋状体１２に収納した構成になっており、さらに袋状体１２の上面はＰＵフォーム３２に接着剤１５によって接着されている。各ポケットコイル１０，１０は、図４に示すように、互いに隣接するポケットコイル１０，１０が隣接するようにして配置されている。尚、第二の表装ユニット４は、その上面がポケットコイル１０の下面と接着されているが、側生地２と面する第二の表装ユニット４についてはその下側の周縁を側生地２に縫い付けて固定しておくこともできる。１つのベッドに用いられるポケットコイル１０，１０の数は、例えば、シングルベッドで６１６個、セミダブルベッドで７５６個、ダブルベッドで８９６個である。ポケットコイル１０，１０の配置は、図４に示した配置のほかに、直径の１／２だけピッチをずらせて４個のスプリングコイル１１の間に生じる隙間を少なくした配置もある。
【００１７】
ポケットコイル１０，１０のそれぞれには、図５に示すように、袋状体１２の胴回り方向にミシン目１４が設けられている。すなわち、ミシン目１４は、本実施形態においては、第一の表装ユニット３の平面と略平行な方向であって、ＰＵフォーム３１に近い部分に袋状体１２の周面を一周するように設けられている。また、ミシン目１４はこれに限らず、他の場所、例えば袋状体１２の中央部や下側（ＰＵフォーム４１に近い部分）に設けてもよい。そして、ミシン目１４は、使用者によるベッドの通常の使用方法に対しては破断されることはないが、廃棄処分等に際して第一の表装ユニット３をポケットコイル１０，１０の上面から引き剥がすというような上下方向に強い力が付与されたときに破断されるようになっている。従って、この条件が満たされるならばミシン目１４は袋状体１２の外周面を一周せずとも、例えば半周等であってもよい。また、図示された実施形態ではミシン目１４は１つの袋状体１２に対して１つを設けるものとしたが、２つ以上設けることも可能である。
【００１８】
尚、スプリングユニット１の４つの側面に露出する袋状体１２のミシン目１４より上の部分が、図５に示すように接着剤１６によって側生地２に接着されている。これにより、第一の表装ユニット３が上方向に強く引っ張られることによって側生地２が上方向に引っ張られてミシン目１４の上側に荷重が掛かることによりミシン目１４を破断し易くすることができる。側生地２のスプリングユニット１に対する接着は第一の表装ユニット３のみとし、第二の表装ユニット４に対しては接着を行わない。尚、側生地２を第二の表装ユニット４に対して係着する必要がある場合には、接着剤１６の塗布位置より下側で側生地２に水平に一周するミシン目を設けるなどすればよい。
【００１９】
［ポケットコイルマットレスの分解処理］
次に、上述したポケットコイルマットレス１００の廃棄に伴う分解処理について図６を参照して説明する。図６（ａ）は分解前のポケットコイルマットレス１００の分解前の状態を示す斜視図、図６（ｂ）は前処理を行った状態を示す斜視図、図６（ｃ）は分解途中の状態を示す斜視図である。廃棄前のポケットコイルマットレス１００は図１及び図６（ａ）の状態になっている。ポケットコイルマットレス１００の資源回収を行うに際して不燃物と可燃物とに分解する必要が生じた場合、作業者は、まず、図６（ａ）に示すポケットコイルマットレス１００から側生地２を引き剥がして図６（ｂ）に示す状態にする。この場合、剥がし易くなるように必要に応じて側生地２にカッターナイフ等による切れ目を入れてもよい。次に、スプリングユニット１と第二の表装ユニット４を保持又は固定した状態のまま、第一の表装ユニット３の四隅の１つ（例えば図６（ｂ）に示すＡの部分）を手で持つなどして矢印Ｂに示す上方向へ強く引っ張り、図６（ｃ）に示すように第一の表装ユニット３をスプリングユニット１から引き剥がす。あるいは、ポケットコイルマットレス１００を裏返しにし、スプリングユニット１と第一の表装ユニット３を保持又は固定したまま第二の表装ユニット４をスプリングユニット１から引き剥がすようにしてもよい。
【００２０】
上述のように第一の表装ユニット３を引き剥がした場合、袋状体１２の上面が第一の表装ユニット３のＰＵフォーム３１に接着剤１５によって接着されているため、図５に示した袋状体１２のミシン目１４が破断し、ミシン目１４より上側の袋状体１２の一部がＰＵフォーム３１とともに各袋状体１２の主要部分から引き剥がされる。このようにして第一の表装ユニット３をスプリングユニット１から引き剥がすと、すべてのポケットコイル１０，１０のミシン目１４が破断し、第一の表装ユニット３はスプリングユニット１から完全に分離する。これによって各袋状体１２の上面が図６（ｃ）に示すように露出及び開口し、袋状体１２，１２内のスプリングコイル１１，１１の上部が露出する。そして、スプリングユニット１を裏返せば袋状体１２のそれぞれの開口からスプリングコイル１１，１１が落下して容易に取り出すことができる。取り出されたコイルスプリング１１，１１は再生金属としてリサイクルされ、また、可燃物は廃棄処分されることになる。
【００２１】
［実施形態の効果］
本実施形態に係るポケットコイルマットレスによれば、スプリングユニット１の袋状体１２のそれぞれにミシン目１４を設けると共に、袋状体１２の上面を第一の表装ユニット３のＰＵフォーム３１に接着剤１５によって接着し、袋状体１２の下面を第二の表装ユニット４のＰＵフォーム４１に接着剤１５によって接着したことにより、スプリングユニット１から第一の表装ユニット３を引き剥がすことによって各袋状体１２の上部を破いて開口させることができ、簡単且つ短時間に多数の袋状体１２，１２からスプリングコイル１１，１１を取り出すことができるという効果がある。
【００２２】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【符号の説明】
【００２３】
１      スプリングユニット
２      側生地
３      第一の表装ユニット
４      第二の表装ユニット
１０    ポケットコイル
１１    スプリングコイル
１２    袋状体
１３    接着剤
１４    ミシン目
１５    接着剤
１６    接着剤
３１    ＰＵフォーム
３２    ＰＵフォーム
３３    カバーパネル
４１    カバーパネル
４２    ＰＵフォーム
４３    ＰＵフォーム
１００  ポケットコイルマットレス
【図１】
2012095785.tif 000003
【図２】
2012095785.tif 000004
【図３】
2012095785.tif 000005
【図４】
2012095785.tif 000006
【図５】
2012095785.tif 000007
【図６】
2012095785.tif 000008